(57)【要約】【課題】簡易な構造によって、廃棄物がなく、締結対象を限定することなく所定トルクで締結可能で、締結後であっても頭部分を任意の位相に設定可能な手段を提供する。【解決手段】  外周面に雄ねじ螺旋溝が形成された軸部及び該軸部の一端に設けられた頭部を有する雄ねじ体１０と、上記頭部に装着され上記頭部の外周面を囲繞するキャップ２０と、を有するキャップ付雄ねじ体１であって、上記頭部と上記キャップとの間に相対回転規制機構を具え、上記回転規制機構によって上記頭部に対する上記キャップの相対回転を規制し、上記キャップに所定以上のトルクが作用したとき、上記キャップが上記頭部に対して相対回転し得る。【選択図】図１
2020051524.tif 000002
【特許請求の範囲】
【請求項１】
外周面に雄ねじ螺旋溝が形成された軸部及び該軸部の一端に設けられた頭部を有する雄ねじ体と、
上記頭部に装着され上記頭部の外周面を囲繞するキャップと、を有するキャップ付雄ねじ体であって、
上記頭部と上記キャップとの間に相対回転規制機構を具え、
上記回転規制機構によって上記頭部に対する上記キャップの相対回転を規制し、上記キャップに所定以上のトルクが作用したとき、上記キャップが上記頭部に対して相対回転し得ることを特徴とするキャップ付雄ねじ体。
【請求項２】
前記相対回転規制機構は、前記頭部の外周面から径方向外側に突出する第一突出部分と、前記キャップの内周面から径方向内側に突出する第二突出部分とを有して構成され、
上記第一突出部分と上記第二突出部分とが交差し、少なくとも一方が弾性変形し得るように圧接することを特徴とする請求項１に記載のキャップ付雄ねじ体。
【請求項３】
前記相対回転規制機構は、前記頭部の外周面から径方向外側に突出する突出部分を有して構成され、
上記突出部分が前記キャップの内周面を弾性変形し得るように圧接することを特徴とする請求項１に記載のキャップ付雄ねじ体。
【請求項４】
前記キャップは、前記頭部の外周面に当接する内筒と、内筒よりも大径の外筒とを有し、
上記内筒は、前記頭部から押圧されることで、上記内筒と上記外筒との間隙で弾性変形し得ることを特徴とする請求項３に記載のキャップ付雄ねじ体。
【請求項５】
前記相対回転規制機構は、前記キャップの内周面から径方向内側に突出する突出部分を有して構成され、
上記突出部分が前記頭部の外周面に当接し、弾性変形し得ることを特徴とする請求項１に記載のキャップ付雄ねじ体。
【請求項６】
外周面に雄ねじ螺旋溝が形成された軸部と、
別体のキャップによって外周が覆われた、上記軸部の一端に設けられた頭部と、を有する雄ねじ体であって、
上記頭部は、上記キャップの内周面を所定以上の押圧力で付勢しながら摺接し得、上記キャップの上記頭部に対する相対回転を規制する押圧部分を有することを特徴とする雄ねじ体。
【請求項７】
前記押圧部分は、前記頭部の外周面で軸方向及び／又は周方向に設けられたリブであることを特徴とする請求項６に記載の雄ねじ体。
【請求項８】
前記リブは、前記キャップの内周面に形成されたリブに対して交差する向きに設けられていることを特徴とする請求項７に記載の雄ねじ体。
【請求項９】
前記頭部は、軸心からの距離が周方向に沿って異なる外周形状であることを特徴とする請求項６に記載の雄ねじ体。
【請求項１０】
雄ねじ体の頭部に装着され、該頭部の外周面を囲繞するキャップであって、
内周面に径方向内側に突出し、上記頭部を押圧する押圧部分を具え、
上記押圧部分が上記頭部に所定の押圧力で付勢しながら摺接し得ることを特徴とするキャップ。
【請求項１１】
前記押圧部分は、前記内周面で軸方向及び／又は周方向に設けられたリブであることを特徴とする請求項１０に記載のキャップ。
【請求項１２】
前記リブは、前記頭部の外周面に形成されたリブに対して交差する向きに設けられていることを特徴とする請求項１１に記載のキャップ。
【請求項１３】
前記内周面は、軸心からの距離が周方向に沿って異なる外周形状であることを特徴とする請求項１０に記載のキャップ。
【発明の詳細な説明】
【技術分野】
【０００１】
本発明は、キャップ付雄ねじ体、雄ねじ体及びキャップに関するものである。
【背景技術】
【０００２】
従来、雄ねじが形成された雄ねじ体（ボルト等）と雌ねじが形成された雌ねじ体（ナット等）から成るねじ締結構造は、様々な分野における各種部材の固定や位置決め等に利用されている。雄ねじ体は、締結工具と係合するために頭部の形状を六角形等の多角形状や、丸形の外形で且つ頂面に十字穴を有する形状等が提案されている（例えば、特許文献１参照）。また他の雄ねじ体としては、頂面にすりわりや六角穴を形成した頭部を有するものもあり、このような雄ねじ体の頭部の外形又は頂面の穴に締結用工具を係合させている。
【０００３】
また、雄ねじ体を締結する際のトルク管理が可能な雄ねじ状のねじ締結体（雄ねじ体）として、トルシア形ボルトが開示されている（例えば、特許文献２参照）。このトルシア形ボルトは、締付け作業時にピンテールが捩じ切れる程度のトルクをかけることで、締付けトルクを管理している。
【先行技術文献】
【特許文献】
【０００４】
【特許文献１】特開２０１８−０５２２７９号公報
【特許文献２】特開２０１１−４７４７９号公報
【発明の概要】
【発明が解決しようとする課題】
【０００５】
しかしながら、上述した特許文献１に記載された雄ねじ体は、締結体に締結した際に頭部の向きを任意の向き（位相）に設定することができない。例えば装飾を目的とし、複数の雄ねじ体により被締結体を締結した際、各々の雄ねじ体の頭部を同じ位相に揃えることは難しい。例えば同一のプレートであっても締結箇所によって各雄ねじ体の最適な締付けトルクが異なり得るので、締付けトルクを考慮した上で、締結後の各雄ねじ体の頭部を揃えるようにする等、頭部を所定の位相となるように設定することは非常に困難であるという問題がある。
【０００６】
また、上述した特許文献２に記載されたトルシア形ボルトを用いると、締結時に捩じ切ったピンテールが廃棄物となってしまう。またトルシア形ボルトは、ナットや貫通した雌ねじ孔を有する被締結部材に対して締結可能であるが、非貫通の雌ねじ穴を有する被締結部材に対しては、ピンテールを押さえることができず使用不可である等、締結対象が限定されるという問題がある。
【０００７】
本発明は、上記問題点に鑑みて本発明者の鋭意研究により成されたものであり、簡易な構造によって、ピンテール等の廃棄物がなく、締結対象を限定することなく所定トルクで締結可能で、締結後であっても頭部分を任意の位相に設定可能な手段を提供することを目的とする。
【課題を解決するための手段】
【０００８】
本発明のキャップ付雄ねじ体は、外周面に雄ねじ螺旋溝が形成された軸部及び該軸部の一端に設けられた頭部を有する雄ねじ体と、頭部に装着され頭部の外周面を囲繞するキャップと、を有するキャップ付雄ねじ体であって、頭部とキャップとの間に相対回転規制機構を具え、回転規制機構によって頭部に対するキャップの相対回転を規制し、キャップに所定以上のトルクが作用したとき、キャップが頭部に対して相対回転し得ることを特徴とする。
【０００９】
また、キャップ付雄ねじ体は、相対回転規制機構が頭部の外周面から径方向外側に突出する第一突出部分と、キャップの内周面から径方向内側に突出する第二突出部分とを有して構成され、第一突出部分と第二突出部分とが交差し、少なくとも一方が弾性変形し得るように圧接することを特徴とする。
【００１０】
また、キャップ付雄ねじ体は、相対回転規制機構が頭部の外周面から径方向外側に突出する突出部分を有して構成され、突出部分がキャップの内周面を弾性変形し得るように圧接することを特徴とする。
【００１１】
また、キャップ付雄ねじ体は、キャップが頭部の外周面に当接する内筒と、内筒よりも大径の外筒とを有し、内筒が頭部から押圧されることで、内筒と外筒との間隙で弾性変形し得ることを特徴とする。
【００１２】
また、キャップ付雄ねじ体は、相対回転規制機構がキャップの内周面から径方向内側に突出する突出部分を有して構成され、突出部分が頭部の外周面に当接し、弾性変形し得ることを特徴とする。
【００１３】
また、本発明の雄ねじ体は、外周面に雄ねじ螺旋溝が形成された軸部と、別体のキャップによって外周が覆われた、軸部の一端に設けられた頭部と、を有する雄ねじ体であって、頭部は、キャップの内周面を所定以上の押圧力で付勢しながら摺接し得、キャップの頭部に対する相対回転を規制する押圧部分を有することを特徴とする。
【００１４】
また、本発明の雄ねじ体は、押圧部分が頭部の外周面で軸方向及び／又は周方向に設けられたリブであることを特徴とする。
【００１５】
また、本発明の雄ねじ体は、リブがキャップの内周面に形成されたリブに対して交差する向きに設けられていることを特徴とする。
【００１６】
また、本発明の雄ねじ体は、頭部が軸心からの距離が周方向に沿って異なる外周形状であることを特徴とする。
【００１７】
また、本発明のキャップは、雄ねじ体の頭部に装着され、該頭部の外周面を囲繞するキャップであって、内周面に径方向内側に突出し、上記頭部を押圧する押圧部分を具え、押圧部分が頭部に所定の押圧力で付勢しながら摺接し得ることを特徴とする。
【００１８】
また、本発明のキャップは、押圧部分が内周面で軸方向及び／又は周方向に設けられたリブであることを特徴とする。
【００１９】
また、本発明のキャップは、リブが頭部の外周面に形成されたリブに対して交差する向きに設けられていることを特徴とする。
【００２０】
また、本発明のキャップは、内周面が軸心からの距離が周方向に沿って異なる外周形状であることを特徴とする。
【発明の効果】
【００２１】
本発明によれば、簡易な構造でありながら、廃棄物を出さず、締結対象を限定せずに所定トルクで締結可能で、締結後であっても頭部分を任意の位相に設定可能な手段を提供することができる。
【図面の簡単な説明】
【００２２】
【図１】本実施形態に係るキャップ付雄ねじ体を示す図である。
【図２】本実施形態に係るキャップ付雄ねじ体を示す正面断面図である。
【図３】本実施形態に係る雄ねじ体を示す図である。
【図４】本実施形態に係るキャップを示す図である。
【図５】被締結部材に締結されたキャップ付雄ねじ体を示す断面図である。
【図６】位相が不揃いのキャップを揃えた状態にした様子を示す図である。
【図７】雄ねじ体の頭部の他の形状を示す図である。
【図８】他の頭部側リブ及びキャップ側リブを示す図である。
【図９】他の分離規制機構を示す図である。
【図１０】他の分離規制機構を示す図である。
【図１１】他の雄ねじ体を示し、（ａ）は平面図、（ｂ）は側面図である。
【図１２】他のキャップを示す断面図である。
【発明を実施するための形態】
【００２３】
以下に本発明のキャップ付雄ねじ体の実施形態を、図面を参照して説明する。図１は本実施形態に係るキャップ付雄ねじ体１を示し、（ａ）は平面図、（ｂ）は正面図である。図２は本実施形態に係るキャップ付雄ねじ体１を示す正面断面図である。キャップ付雄ねじ体１は、雄ねじ体１０の頭部１４に有底筒状のキャップ２０を装着して成るものである。
【００２４】
図３は本実施形態に係る雄ねじ体１０を示し、（ａ）は平面図、（ｂ）は正面図である。雄ねじ体１０は、軸部１２と頭部１４とを具えている。軸部１２は、基端側から先端側にかけて雄ねじ螺旋溝が形成された雄ねじ部１６を有する。頭部１４は、軸部１２の基端側に位置し、略円形状の外周面を有する。
【００２５】
頭部１４は、外周面から径方向外側に突出し、軸方向に沿って二つ並列する帯状の列状突起である頭部側リブ１８（第一突出部分）を有する。頭部側リブ１８は、環状を成し、突起の帯の長手方向が周方向に一致する。
また頭部側リブ１８は、キャップ２０を頭部１４に装着した際に、キャップ側リブ２６（図４参照）と当接して互いがくい込むように弾性変形して嵌合する弾性嵌合可能な幅（帯の短手方向の長さ）、高さ（径方向に突出する長さ）、形状、数量、リブの間隔等に設定する。また頭部側リブ１８の数は、二つに限定するものではなく、一つ或いは三つ以上に設定してもよい。
【００２６】
図４は本実施形態に係るキャップ２０を示し、（ａ）は平面図、（ｂ）は正面図、（ｃ）は底面図、（ｄ）は正面断面図である。キャップ２０は、六角形状の外周面２０ａと、円形状の内周面２０ｂとを有する有底筒状の部材である。キャップ２０の軸方向の一端側には、開口２２が形成される。またキャップ２０の内周面２０ｂには、周方向に沿って複数並列する帯状の列状突起であるキャップ側リブ２６（第二突出部分）が形成される。
【００２７】
内周面２０ｂ及び開口２２は、キャップ２０を頭部１４に装着する際に頭部１４と接触しないように、径方向の長さを設定してもよい。即ち内周面２０ｂ及び開口２２の径方向の長さは、頭部側リブ１８の外径よりも僅かに大径に設定することができる。
【００２８】
キャップ側リブ２６は、内周面２０ｂから径方向内側に突出し、帯の長手方向の長さが軸方向に一致する。ここでは六つのキャップ側リブ２６が周方向に６０°の位相差をもって等間隔に形成される。またキャップ側リブ２６は、キャップ２０を頭部１４に装着した際に、頭部側リブ１８と当接して弾性嵌合可能な幅、高さ、形状、数量、リブの間隔等に設定する。またキャップ側リブ２６は、頭部側リブ１８を周方向に沿って略均等な押圧力で付勢し得るように数量、間隔を設定することが好ましい。
【００２９】
頭部側リブ１８とキャップ側リブ２６は、帯の長手方向が異なり、雄ねじ体１０にキャップ２０を装着したとき、交差して、その交差部分で互いに弾性変形しながら他方を押圧しつつ接触（圧接）する。即ち頭部側リブ１８は、交差部分において、キャップ側リブ２６に押圧され径方向内向きに弾性変形する。またキャップ側リブ２６は、交差部分において、頭部側リブ１８に押圧され径方向外向きに弾性変形する。よって頭部側リブ１８とキャップ側リブ２６は、交差部分において、互いに圧接してくい込んだ状態となり、軸方向及び周方向に係合する。
【００３０】
従って、頭部側リブ１８とキャップ側リブ２６との交差部分は、キャップ２０の雄ねじ体１０に対する相対回転を抑止する相対回転規制機構及びキャップ２０が雄ねじ体１０から分離するのを防止する分離規制機構として機能する。雄ねじ体１０と頭部２０とは、互いの相対回転が抑止された嵌合状態で保持される。
【００３１】
次に、図５を参照して被締結部材３０へのキャップ付雄ねじ体１の締結について説明する。ここで被締結部材３０は、雌ねじ孔３２を有し、この雌ねじ孔３２の内周面には雄ねじ部１６が螺合し得る雌ねじ螺旋条が形成されている。従って、キャップ付雄ねじ体１は、被締結部材３０の雌ねじ孔３２に雄ねじ部１６を螺合させることで、被締結部材３０に締結される。
【００３２】
キャップ付雄ねじ体１の締結は、レンチやソケット等の締結工具を用いる。具体的には、キャップ２０の外面に締結工具を係合させ、締結工具を介してキャップ２０に締結方向のトルクを印加することで、キャップ付雄ねじ体１を回転させる。このときキャップ２０は、相対回転規制機構によって雄ねじ体１０に対して周方向の相対回転が抑止されているので、キャップ２０に印加されたトルクは、雄ねじ体１０に伝達され、結果キャップ付雄ねじ体１が締結方向に回転する。
【００３３】
なお、キャップ付雄ねじ体１を被締結部材３０に対して緩み方向に回転させる場合には、締結工具を介して緩み方向のトルクを雄ねじ体１０に伝達することで、キャップ付雄ねじ体１を緩み方向に回転させる。
【００３４】
次に、被締結部材３０に締結したキャップ付雄ねじ体１のキャップ２０を任意の位相に調整する位相調整方法について説明する。キャップ付雄ねじ体１は、被締結部材３０に締結したとき、頭部１４の座面及び／又はキャップ２０の座面が被締結部材３０の端面（座面）に当接し、それ以上の締結方向の回転が規制される。
【００３５】
ここで、キャップ付雄ねじ体１に対して更に締結方向に所定以上のトルクを印加したとき、キャップ２０は、雄ねじ体１０に対し、相対回転規制機構に抗して相対回転し得る。キャップ２０が雄ねじ体１０に対して相対回転したとき、キャップ側リブ２６は、頭部側リブ１８に対し周方向に相対移動する。即ちキャップ２０が雄ねじ体１０に対して相対回転し得るトルクをキャップ２０に対して印加したとき、キャップ側リブ２６は頭部側リブ１８に摺動し、頭部側リブ１８上においてキャップ側リブ２６との交差部分が周方向に変位する。
【００３６】
このようにして、被締結部材３０に締結されたキャップ付雄ねじ体１に所定以上のトルクを印加することで、キャップ２０は、雄ねじ体１０に対して相対回転して、任意の位相に調整可能となる。例えば、キャップ２０の頂面に文字「ＡＢＣ」が刻まれたキャップ付雄ねじ体１を被締結部材３０に締結したとき、所定未満の締め付けトルクでの締結直後では図６（ａ）に示すように文字「ＡＢＣ」の向きが不揃いとなっていても、上述の位相調整を行うことで図６（ｂ）に示すように文字「ＡＢＣ」の向きを揃えることができる。
【００３７】
以上説明したように、本実施形態のキャップ付雄ねじ体によれば、被締結部材を締結した後に所定以上のトルクをキャップに印加することで、キャップ付雄ねじ体の頭部分であるキャップが雄ねじ体に対して相対回転し得る為、キャップを任意の位相に設定することができる。
【００３８】
また、雄ねじ体１０とキャップ２０との間では、頭部側リブ１８及びキャップ側リブ２６が交差部分で互いに弾性変形することで相対回転規制機構及び分離規制機構が構成されるため、キャップ２０が雄ねじ体１０に対して相対回転しても交差部分では両リブが弾性変形している状態は変わらない。従ってキャップ２０の回転後であっても、相対回転規制機構及び分離規制機構を維持することができる。
【００３９】
また、キャップ付雄ねじ体１は、所定以上のトルクを印加したとき、キャップ２０だけが雄ねじ体１０に対して相対回転することから、一定トルクで締結可能な雄ねじ状のねじ締結体として利用することが可能である。一般的な雄ねじ体は、手動又は電動の回転工具側で締付けトルクを設定することで締付けトルクの管理を行っている。これに対し、本発明のキャップ付雄ねじ体１は、過度な締め付けトルクを印加しても、所定トルクで締結することができる。即ち、締付けトルクが所定以上の場合、キャップ２０が雄ねじ体１０に対して相対回転するので、キャップ付雄ねじ体１は、一定のトルクで被締結部材に締結することができる。
【００４０】
このように、キャップ付雄ねじ体１は、過度なトルクを印加しても一定のトルクで締結されるので、締結により雄ねじ体に過剰な引張力がかかることでの負荷を抑えることができる。また締付けトルクが大き過ぎることによる雄ねじ体の破損を防ぐことができる。更に一定トルクで締結することができるので、締付けトルクが小さ過ぎることによる雄ねじ体の緩みの発生を防ぐことができ、適切な締結状態を得ることが可能である。
【００４１】
なお、上述した実施形態においては雄ねじ体１０の頭部１４を、軸部１２の径よりも大径としたが、これに限定するものではない。例えば図７（ａ）に示すように軸部１２よりも縮径した大きさでもよく、図７（ｂ）に示すように軸部１２と同径でもよい。また頭部１４の径は、雄ねじ部１６の山径と同一に設定してもよく、また雄ねじ部１６の谷径と同一に設定してもよい。
【００４２】
また、上述した実施形態において、頭部側リブ１８は帯の長手方向が周方向に一致し、キャップ側リブ２６は帯の長手方向が軸方向に一致するものとしたが、頭部側リブ１８とキャップ側リブ２６とが互いに交差するものであれば、帯の長手方向は適宜設定し得る。ここで図８は他の頭部側リブ７０及びキャップ側リブ８０を示す図であり、図８におけるキャップ２０は、断面形状を示すものである。図８（ａ）に示すように、頭部側リブ７０は、帯の長手方向が軸方向に一致し、キャップ側リブ８０は帯の長手方向が周方向に一致するように設定してもよい。また図８（ｂ）に示すように、頭部側リブ７０及びキャップ側リブ８０の帯の長手方向を、互いの帯の長手方向が異なるように軸方向に対して傾斜するように設定してもよい。
【００４３】
またキャップ側リブを省略し、単に頭部側リブ１８がキャップ２０の内周面を所定の押圧力で付勢することで、相対回転規制機構及び分離規制機構を構成してもよい。また頭部側リブを省略し、単にキャップ側リブ２６が頭部１４の外周面を所定の押圧力で付勢することで、相対回転規制機構及び分離規制機構を構成してもよい。
【００４４】
また、頭部側リブ１８とキャップ側リブ２６とを交差させることで分離規制機構を構成しているが、他の分離規制機構を追加してもよいことは言うまでもない。例えば、図９に示すようにキャップ２０の開口２２側の周端に形成した、径方向内側に突出する第一係合爪部４０と、頭部１４の外周の軸部１２側に形成した、径方向外側に突出する第二係合爪部４２とを軸方向に係合させて分離規制機構を構成してもよい。この場合に第一係合爪部４０が何れの位置にあっても第二係合爪部４２と軸方向に係合するように、第二係合爪部４２は、頭部１４の外周全周に亘るように環状に形成することが好ましい。勿論、第一係合爪部４０を環状に形成してもよいことは言うまでもない。
【００４５】
また、分離規制機構を図１０に示すキャップ２０の開口２２側にキャップ２０の周縁部よりも軸方向に延びる一対の固定片５０で構成してもよい。即ちキャップ２０を頭部１４に装着した後、固定片５０を径方向内側に折り曲げて頭部１４の軸部１２側の端面に密着させることでキャップ２０が雄ねじ体１０からの分離を防止してもよい。
【００４６】
また、雄ねじ体１０及びキャップ２０は、金属製又は、樹脂等の非金属製の何れであってもよく、例えば雄ねじ体１０を金属製（或いは非金属製）、キャップ２０を非金属製（或いは金属製）としてもよく、或いは雄ねじ体１０及びキャップ２０を金属製同士（又は非金属製同士）としてもよい。
【００４７】
また、上述の実施形態において、頭部側リブ１８とキャップ側リブ２６とが周方向に係合するように交差させることで相対回転規制機構を構成したが、これに限定するものではない。例えば、頭部１４をキャップ２０内に嵌入させたとき、頭部１４とキャップ２０が嵌合して周方向に係合するように、頭部１４の外周形状及び／又はキャップ２０の内周形状を、軸心からの距離が周方向に沿って異なる形状を有するように形成してもよい。
【００４８】
具体的には頭部１４は、図１１（ａ）に示すように、外周形状をルーローの三角形様に設定してもよい。このとき、三角形の各角部は丸みを持たせても好い。またキャップ２０は、内周形状が頭部１４の外周形状に相似形のルーローの三角形様を成すように設定してもよいが、円筒状に設定することが好ましい。キャップ２０の内周の周長は、頭部１４の周長と同等程度とすることが好ましい。これによってキャップ２０は、雄ねじ体１０に対して周方向に係合して相対回転規制機構として機能する。またキャップ２０に所定以上のトルクが印加されたとき、頭部１４の外周及び／又はキャップ２０の内周が互いに弾性変形し得、キャップ２０を雄ねじ体１０に対して相対回転させることができる。
【００４９】
また頭部１４の外周形状及びキャップ２０の内周形状を三角形とした場合、キャップ２０の外周には径方向内側に突出する係合爪部を設け、頭部１４の外周面には、図１１（ｂ）に示すように、周回状で且つキャップ２０の係合爪部が嵌合する周回溝部５２を設けて、この係合爪部を溝５０に嵌合させることで分離規制機構を構成するようにしてもよい。勿論、頭部１４に係合爪部を設け、キャップ２０の内周面側に周回溝部を設けるようにしてもよい。また、キャップ２０の内周面に第一係合爪部４０を設け、頭部１４の外周面に第二係合爪部４２を設けるようにしてもよい。
【００５０】
また、キャップ側リブ２６を省いたキャップ２０を用いた場合等においては、キャップ２０は、内周面が雄ねじ体１０から付勢され弾性変形したとき外周形状が変形し得る。そこでキャップ２０を図１２に示す内筒部分６０ａと外筒部分６０ｂとの二重筒構造にすることができる。これにより内筒部分６０ａに頭部１４を嵌合させ、内筒部分６０ａだけを弾性変形させてキャップ２０の外周形状の変形を防止するように構成してもよい。
【００５１】
また、キャップ２０の外周面２０ａを六角形状として説明したが、キャップ２０が締結工具と係合可能なものであれば、勿論これに限定されるものではない。例えばキャップ２０の外周面２０ａは、楕円形状、六角形状以外の多角形状であってもよい。また外周面２０ａを円形状にして頂面にドライバ等の締結工具を係合するための溝（すりわり等）、穴（十字穴、六角穴等）を設けても好い。
【００５２】
なお、上述した頭部側リブ１８及びキャップ側リブ２６は、交差部分において互いに弾性変形するものとして説明したが、これに限定するものではない。例えば、頭部側リブ１８とキャップ側リブ２６の内、一方を他方に対し剛性が高い材料で形成し、他方が弾性変形し、一方が弾性変形しないものであってもよい。このようにした場合、相対回転の規制効果と、分離の規制効果の一方を強く効かせることができる。
【００５３】
具体的に、頭部側リブ１８が弾性変形して、キャップ側リブ２６が弾性変形しないものとした場合、相対回転規制機構が分離規制機構よりも強く作用する。即ち、頭部側リブ１８においてキャップ側リブ２６がくい込むので、キャップ２０が雄ねじ体１０に対し相対回転した場合、頭部側リブ１８におけるくい込み箇所を変位させるトルクを印加する必要があるが、キャップ２０を頭部１４から分離させるように軸方向に相対移動させようとした場合、頭部側リブ１８におけるくい込み箇所は変わらない。従って、相対回転規制機構の方が、分離規制機構よりも強く作用する。
また頭部側リブ１８が弾性変形せず、キャップ側リブ２６が弾性変形するものとした場合は、分離規制機構が相対回転規制機構よりも強く作用する。即ち、キャップ側リブ２６において頭部側リブ１８がくい込むので、キャップ２０を頭部１４から分離させるように軸方向に相対移動させようとした場合、キャップ側リブ２６におけるくい込み箇所を変位させる力を加える必要があるが、キャップ２０が雄ねじ体１０に対し相対回転した場合、キャップ側リブ２６におけるくい込み箇所は変わらない。従って、分離規制機構の方が、相対回転規制機構よりも強く作用する。
【符号の説明】
【００５４】
１…キャップ付雄ねじ体、１０…雄ねじ体、１２…軸部、１４…頭部、１６…雄ねじ部、１８，７０…頭部側リブ、２０…キャップ、２０ａ…外周面、２０ｂ…内周面、２２…開口、２６，８０…キャップ側リブ、３０…被締結部材、３２…雌ねじ孔、４０…第一係合爪部、４２…第二係合爪部、５０…固定片、５２…溝、６０ａ…内筒部分、６０ｂ…外筒部分
【図１】
2020051524.tif 000003
【図２】
2020051524.tif 000004
【図３】
2020051524.tif 000005
【図４】
2020051524.tif 000006
【図５】
2020051524.tif 000007
【図６】
2020051524.tif 000008
【図７】
2020051524.tif 000009
【図８】
2020051524.tif 000010
【図９】
2020051524.tif 000011
【図１０】
2020051524.tif 000012
【図１１】
2020051524.tif 000013
【図１２】
2020051524.tif 000014